(57)【要約】【課題】入賞球の保留数表示を隠すことなく、演出部材の、より自由な動作を実現する。【解決手段】遊技球が入賞することで大当たり抽選が行われる第１始動口および第２始動口と、大当たり抽選が開始されていない第１始動口および第２始動口への入賞数である保留数を表示する保留数表示器であるＬＥＤ３１、３２と、遊技盤上で動作する羽根部材１１、１２と、を備える。そして、ＬＥＤ３１、３２が保留数を表示しておらず、かつ遊技盤１１０の遊技領域１１１上に遊技球が存在しない場合に、羽根部材１１、１２がＬＥＤ３１、３２を覆う範囲で動作し、ＬＥＤ３１、３２が保留数を表示しているか、または遊技盤１１０の遊技領域１１１上に遊技球が存在する場合に、羽根部材１１、１２がＬＥＤ３１、３２を覆わない範囲で動作する。【選択図】図３
2010264046.tif 000002
【特許請求の範囲】
【請求項１】
遊技球が入賞することで大当たり抽選が行われる始動口と、
前記大当たり抽選が開始されていない前記始動口への入賞数である保留数を表示する保留数表示器と、
遊技盤上で動作する可動部材と、を備え、
前記保留数表示器が保留数を表示しておらず、かつ遊技盤の遊技領域上に遊技球が存在しない場合に、前記可動部材が当該保留数表示器を覆う範囲で動作し、前記保留数表示器が保留数を表示しているか、または遊技盤の遊技領域上に遊技球が存在する場合に、当該可動部材が当該保留数表示器を覆わない範囲で動作することを特徴とする遊技機。
【請求項２】
前記可動部材は、前記保留数表示器が保留数を表示しておらず、かつ、少なくとも前記遊技領域に送り出された遊技球の数と排出口から排出された遊技球の数が等しい場合に、前記可動部材が当該保留数表示器を覆う範囲で動作することを特徴とする請求項１に記載の遊技機。
【請求項３】
遊技球が入賞することで大当たり抽選が行われる始動口と、
前記大当たり抽選が開始されていない前記始動口への入賞数である保留数を表示する保留数表示器と、
遊技盤上で可動部材を動作させる制御部と、を備え、
前記制御部は、前記保留数表示器が保留数を表示しておらず、かつ遊技盤の遊技領域上に遊技球が存在しない場合に、前記保留数表示器を覆う範囲で前記可動部材を動作させることを特徴とする遊技機。
【請求項４】
前記制御部は、前記遊技領域に送り出された遊技球の数と排出口から排出された遊技球の数が等しい場合に、前記遊技盤の前記遊技領域上に遊技球が存在しないものとして、前記可動部材の動作を制御することを特徴とする請求項３に記載の遊技機。
【請求項５】
前記遊技領域に送り出された遊技球を検出する発射球検出スイッチと、
排出口から排出された遊技球を検出する排出球検出スイッチと、
前記発射球検出スイッチが遊技球を検出すると値が１加算され、前記排出球検出スイッチが遊技球を検出すると値が１減算されるカウンタとをさらに備え、
前記制御部は、前記カウンタの値が０である場合に、前記遊技盤の前記遊技領域上に遊技球が存在しないものとして、前記可動部材の動作を制御することを特徴とする請求項３または請求項４に記載の遊技機。
【発明の詳細な説明】
【技術分野】
【０００１】
本発明は、遊技盤に設けられた可動役物を動作させて演出を行う遊技機に関する。
【背景技術】
【０００２】
パチンコ遊技機等の遊技機では、遊技盤上で、ギミックと呼ばれる可動演出部材を動作させて、遊技状態等に応じた様々な演出が行われている。例えば、特許文献１に記載の遊技機では、表示画面前方の仮想鉛直面上を回動する長尺薄板状の刀部材（演出部材）と、非演出時には、刀部材を装飾部材の右側部裏側の格納位置に略鉛直状態で保持し、演出時には、刀部材を軸周りに所定角度回動して表示画面前方の露出位置へと変異させる刀部材駆動機構とを備えている。
【０００３】
また、遊技機の遊技盤上では、液晶の表示画面やＬＥＤ（発光ダイオード）等の表示手段を用いて、上記の演出の他に、様々な情報を遊技者に提示している。その一つに、入賞球の保留数表示がある。遊技機では、遊技球が始動口に入る（入賞する）と、大当たり抽選（特別図柄抽選）が行われるが、この抽選に伴う図柄変動中に、さらに遊技球が入賞すると、変動中の図柄が停止して抽選結果が表示されるまで、次の入賞に基づく抽選は保留される。そのため、抽選待ちの入賞球の数である保留数を、遊技者に報知することが行われている。
【０００４】
【特許文献１】特開２００８−２００１９３号公報
【発明の開示】
【発明が解決しようとする課題】
【０００５】
遊技機における演出部材の形状や動作は、様々に設定することが可能であるが、演出部材によって上記の入賞球の保留数を報知するための表示を隠すことは許されない。そのため、演出部材の動作は、この保留数表示を行う表示手段を覆わない範囲の、限定的なものとなっていた。
【０００６】
そこで本発明は、入賞球の保留数表示を隠すことなく、演出部材の、より自由な動作を実現することを目的とする。
【課題を解決するための手段】
【０００７】
上記の目的を達成する本発明は、次のような遊技機として実現される。この遊技機は、遊技球が入賞することで大当たり抽選が行われる始動口１２１、１２２と、大当たり抽選が開始されていない始動口１２１、１２２への入賞数である保留数を表示する保留数表示器３１、３２と、遊技盤上で動作する可動部材１１、１２と、を備える。そして、保留数表示器３１、３２が保留数を表示しておらず、かつ遊技盤１１０の遊技領域１１１上に遊技球が存在しない場合に、可動部材１１、１２が保留数表示器３１、３２を覆う範囲で動作する。一方、保留数表示器３１、３２が保留数を表示しているか、または遊技盤１１０の遊技領域１１１上に遊技球が存在する場合に、可動部材１１、１２が保留数表示器３１、３２を覆わない範囲で動作する。
【０００８】
より詳細には、可動部材１１、１２は、保留数表示器３１、３２が保留数を表示しておらず、かつ、少なくとも遊技領域１１１に送り出された遊技球の数と排出口１１７から排出された遊技球の数が等しい場合に、可動部材１１、１２が保留数表示器３１、３２を覆う範囲で動作する。
【０００９】
また、他の本発明は、次のような遊技機として実現される。この遊技機は、遊技球が入賞することで大当たり抽選が行われる始動口１２１、１２２と、大当たり抽選が開始されていない始動口１２１、１２２への入賞数である保留数を表示する保留数表示器３１、３２と、遊技盤１１０上で可動部材１１、１２を動作させる制御部３００と、を備え、制御部３００は、保留数表示器３１、３２が保留数を表示しておらず、かつ遊技盤１１０の遊技領域１１１上に遊技球が存在しない場合に、保留数表示器３１、３２を覆う範囲で可動部材１１、１２を動作させる。
【００１０】
より詳細には、制御部３００は、遊技領域１１１に送り出された遊技球の数と排出口１１７から排出された遊技球の数が等しい場合に、遊技盤１１０の遊技領域１１１上に遊技球が存在しないものとして、可動部材１１、１２の動作を制御する。
【００１１】
さらに詳細には、上記の遊技機において、遊技領域１１１に送り出された遊技球を検出する発射球検出スイッチ１６１と、排出口１１７から排出された遊技球を検出する排出球検出スイッチと、発射球検出スイッチ１６１が遊技球を検出すると値が１加算され、排出球検出スイッチが遊技球を検出すると値が１減算されるカウンタ３０５とをさらに備える。そして、制御部３００は、カウンタ３０５の値が０である場合に、遊技盤１１０の遊技領域１１１上に遊技球が存在しないものとして、可動部材１１、１２の動作を制御する。
【００１２】
なお、本欄における上記符号は、本発明の説明に際して例示的に付したものであり、この符号により本発明が減縮されるものではない。
【発明の効果】
【００１３】
本発明によれば、保留数が表示される場合と表示されない場合とで、演出部材（可動部材）の動作を切り替えることにより、入賞球の保留数表示を隠すことなく、演出部材の、より自由な動作を実現することができる。
【発明を実施するための最良の形態】
【００１４】
以下、添付図面を参照して、本発明の実施形態について詳細に説明する。
〔遊技機の基本構成〕
図１は、本実施形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０と、を備えている。遊技盤１１０は、枠部材１５０に着脱自在に取り付けられている。
【００１５】
遊技盤１１０は、本体フレーム（不図示）に取り付けられており、前面に、遊技球により遊技を行うための遊技領域１１１と、下方から発射された遊技球が上昇して遊技領域１１１の上部位置へ向かう通路を形成するレール部材１１２とを備えている。
本実施形態では、遊技者により視認され易い遊技領域１１１の位置に、演出のための各種の画像を表示する画像表示部１１４が配設されている。この画像表示部１１４は、液晶ディスプレイ等による表示画面を備え、遊技者によるゲームの進行に伴い、例えば、図柄抽選結果（図柄変動結果）を遊技者に図柄により報知したり、キャラクタの登場やアイテムの出現による予告演出を表示したりする。
また、遊技盤１１０の前面に、演出を行う演出部材としての可動役物１１５を備えている。なお、可動役物１１５については後で詳述する。
【００１６】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１７】
本実施形態では、入賞や抽選に関する種々の役物として、遊技球が入ると入賞して特別図柄抽選（大当たり抽選）が始動する第１始動口１２１と、第１始動口１２１の下方に位置し、遊技球が入ると入賞して特別図柄抽選が始動する第２始動口１２２と、遊技球が通過すると普通図柄抽選（開閉抽選）が始動するゲート１２４と、が遊技盤１１０に配設されている。第２始動口１２２は、チューリップの花の形をした一対の回動部材が電動ソレノイドにより開閉すると共に点灯する電動チューリップ１２３を備えている。
【００１８】
また、本実施形態では、入賞や抽選に関する種々の役物として、第２始動口１２２の下方に位置し、特別図柄抽選の結果に応じて開放する大入賞口１２５と、遊技球が入賞しても抽選が始動しない普通入賞口１２６と、が遊技盤１１０に配設されている。
なお、本実施形態では、遊技領域１１１に第１始動口１２１および第２始動口１２２が配設されているが、いずれか一方のみを配設する構成例や他の始動口を配設する構成例も考えられる。また、本実施形態では、遊技領域１１１に大入賞口１２５が１つ配設されているが、大入賞口１２５を複数配設する構成例も考えられる。
本実施形態では、遊技盤１１０の右下の位置に、抽選結果や保留数に関する表示を行う表示器１３０が配設されている。
【００１９】
また、遊技盤１１０の裏面には、内部抽選および当選の判定等を行う遊技制御基板、演出を統括的に制御する演出制御基板、画像および音による演出を制御する画像制御基板、各種のランプおよび可動役物１１５による演出を制御するランプ制御基板などの図示しない各種の基板等が取り付けられる。また、遊技盤１１０の裏面には、供給された２４ＶのＡＣ電源をＤＣ電源に変換して各種の基板等に出力するスイッチング電源（不図示）が配設されている。
【００２０】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿（不図示）と、を備えている。この皿には、例えば払い出しユニットによる払出球が払い出される。
【００２１】
また、枠部材１５０は、発射装置のハンドル１５１に遊技者が触れている状態であっても遊技球の発射を一時的に停止させるための停止ボタン１５４と、皿に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００２２】
さらに、本実施形態では、上記の発射装置により発射された遊技球がレール部材１１２に導かれて遊技領域１１１に送り出される出口の位置に、遊技球を検出する発射球検出スイッチ１６１が設けられている。この出口の部分には、通常、遊技球がレール部材１１２から発射装置へ逆戻りすることを防止するためのバックストップ１６２が設けられる。したがって、この位置に発射球検出スイッチ１６１を設けることにより、逆戻りすることなく遊技領域１１１に送り出された遊技球を確実に検出することができる。
【００２３】
さらにまた、本実施形態では、排出口１１７から排出される遊技球を検出する排出球検出スイッチ（不図示）が設けられている。詳しくは後述するが、本実施形態では、発射球検出スイッチ１６１により検出された遊技球の数（発射球数）と排出球検出スイッチにより検出された遊技球の数（排出球数）とに基づいて、遊技領域１１１上に遊技球が存在するか否かを判断する。
【００２４】
〔制御ユニットの構成〕
次に、パチンコ遊技機１００での動作制御や信号処理を行う制御ユニットについて説明する。
図２は、制御ユニットの内部構成を示すブロック図である。同図に示すように、制御ユニットは、メイン制御手段として、内部抽選および当選の判定等といった払い出す賞球数に関する各種制御を行う遊技制御部２００を備えている。また、サブ制御手段として、演出を統括的に制御する演出制御部３００と、画像および音響を用いた演出を制御する画像/音響制御部３１０と、各種のランプおよび可動役物１１５を用いた演出を制御するランプ制御部３２０と、払出球の払い出し制御を行う払出制御部４００と、を備えている。
【００２５】
前述したように、遊技制御部２００、演出制御部３００、画像/音響制御部３１０、ランプ制御部３２０、および払出制御部４００各々は、遊技盤１１０の裏面に配設されたメイン基板としての遊技制御基板、さらにはサブ基板としての演出制御基板、画像制御基板、ランプ制御基板、および払出制御基板において個別に構成されている。
【００２６】
〔遊技制御部の構成・機能〕
遊技制御部２００は、内部抽選および当選の判定等といった払い出し賞球数に関連する各種制御を行う際の演算処理を行うＣＰＵ２０１と、ＣＰＵ２０１にて実行されるプログラムや各種データ等が記憶されたＲＯＭ２０２と、ＣＰＵ２０１の作業用メモリ等として用いられるＲＡＭ２０３と、を備えている。
遊技制御部２００は、第１始動口１２１または第２始動口１２２に遊技球が入賞すると特別図柄抽選を行い、特別図柄抽選での当選か否かの判定結果を演出制御部３００に送る。また、特別図柄抽選時の当選確率の変動設定（例えば３００分の１から３０分の１への変動設定）、特別図柄抽選時の特別図柄変動時間の短縮設定、および普通図柄抽選時の普通図柄変動時間の短縮設定を行い、設定内容を演出制御部３００に送る。
さらに、遊技制御部２００は、電動チューリップ１２３の羽根の開時間の延長、および電動チューリップ１２３の羽根が開く回数の設定、さらには羽根が開く際の開閉動作間隔の設定を制御する。また、遊技球が連続的に第１始動口１２１または第２始動口１２２へ入賞したときの未抽選分の限度個数（例えば４個）までの保留や、遊技球が連続的にゲート１２４を通過したときの未抽選分の限度個数（例えば４個）までの保留を設定する。
また、遊技制御部２００は、特別図柄抽選の結果に応じて、大入賞口１２５が所定条件（例えば３０秒経過または遊技球１０個の入賞）を満たすまで突出傾斜して開状態を維持するラウンドを所定回数（例えば１５回または２回）だけ繰り返すように制御する。さらには、大入賞口１２５が開く際の開閉動作間隔を制御する。
【００２７】
さらに、遊技制御部２００は、第１始動口１２１、第２始動口１２２、大入賞口１２５および普通入賞口１２６に遊技球が入賞すると、遊技球が入賞した場所に応じて１つの遊技球当たり所定数の賞球を払い出すように、払出制御部４００に対する指示を行う。
払出制御部４００が遊技制御部２００の指示に従って賞球の払い出しを行った場合には、遊技制御部２００は、払い出した賞球の個数に関する情報を払出制御部４００から取得する。それにより、払い出した賞球の個数を管理する。
【００２８】
遊技制御部２００には、第１始動口１２１への遊技球の入賞を検出する第１始動口スイッチ（不図示）、第２始動口１２２への遊技球の入賞を検出する第２始動口スイッチ（不図示）、上記の発射球検出スイッチ１６１、排出球検出スイッチなどの各種スイッチが接続されている。
また、遊技制御部２００には、第１始動口１２１への遊技球の入賞により始動した特別図柄抽選（大当たり抽選）の未抽選分の保留個数を限度個数内（例えば４個）で表示する第１特別図柄保留表示器（不図示）、第２始動口１２２への遊技球の入賞により始動した特別図柄抽選の未抽選分の保留個数を限度個数内で表示する第２特別図柄保留表示器（不図示）などの各種表示器が接続されている。
【００２９】
そして、第１始動口スイッチなどの各種スイッチにて検出された検出信号が、遊技制御部２００に送られる。また、遊技制御部２００からの制御信号が、電動チューリップ開閉部（不図示）、大入賞口開閉部（不図示）、各種表示器に送られる。それにより、遊技制御部２００は、上記した払い出し賞球数に関連する各種制御を行う。
【００３０】
〔演出制御部の構成・機能〕
次に、演出制御部３００は、演出を制御する際の演算処理を行うＣＰＵ３０１と、ＣＰＵ３０１にて実行されるプログラムや各種データ等が記憶されたＲＯＭ３０２と、ＣＰＵ３０１の作業用メモリ等として用いられるＲＡＭ３０３と、日時を計測するリアルタイムクロック（ＲＴＣ）３０４と、遊技球数カウンタ３０５とを備えている。
演出制御部３００は、例えば遊技制御部２００から送られる特別図柄抽選での当選か否かの判定結果に基づいて、演出内容を設定する。また、遊技が所定期間中断された場合には、演出の一つとして客待ち用の画面表示の設定を指示する。
【００３１】
さらには、遊技制御部２００が特別図柄抽選時の当選確率を変動させた場合、特別図柄抽選時の特別図柄変動時間を短縮させた場合、および普通図柄抽選時の普通図柄変動時間を短縮させた場合には、演出制御部３００は設定された内容に対応させて演出内容を設定する。
また、演出制御部３００は、設定した演出内容の実行を指示するコマンドを画像/音響制御部３１０およびランプ制御部３２０に送る。
【００３２】
〔画像/音響制御部の構成・機能〕
画像/音響制御部３１０は、演出内容を表現する画像および音響を制御する際の演算処理を行うＣＰＵ３１１と、ＣＰＵ３１１にて実行されるプログラムや各種データ等が記憶されたＲＯＭ３１２と、ＣＰＵ３１１の作業用メモリ等として用いられるＲＡＭ３１３と、を備えている。
そして、画像/音響制御部３１０は、演出制御部３００から送られたコマンドに基づいて、画像表示部１１４に表示する画像およびスピーカ１５６から出力する音響を制御する。
具体的には、画像/音響制御部３１０のＲＯＭ３１２には、画像表示部１１４において遊技中に表示する図柄画像や背景画像、遊技者に抽選結果を報知するための装飾図柄、遊技者に予告演出を表示するためのキャラクタやアイテム等といった画像データが記憶されている。さらには、画像データと同期させて、または画像データとは独立にスピーカ１５６から出力させる楽曲や音声、さらにはジングル等の効果音等といった各種音響データが記憶されている。ＣＰＵ３１１は、ＲＯＭ３１２に記憶された画像データや音響データの中から、演出制御部３００から送られたコマンドに対応したものを選択して読み出す。さらには、読み出した画像データを用いて背景画像表示、図柄画像表示、図柄画像変動、およびキャラクタ/アイテム表示等のための画像処理と、読み出した音響データを用いた音声処理とを行う。
そして、画像/音響制御部３１０は、画像処理された画像データにより画像表示部１１４での画面表示を制御する。また、音声処理された音響データによりスピーカ１５６から出力される音響を制御する。
【００３３】
〔ランプ制御部の構成・機能〕
ランプ制御部３２０は、可動役物１１５の動作、枠ランプ１５７の発光などを制御する際の演算処理を行うＣＰＵ３２１と、ＣＰＵ３２１にて実行されるプログラムや各種データ等が記憶されたＲＯＭ３２２と、ＣＰＵ３２１の作業用メモリ等として用いられるＲＡＭ３２３と、を備えている。
そして、ランプ制御部３２０は、演出制御部３００から送られたコマンドに基づいて、可動役物１１５の動作を制御したり、枠ランプ１５７の点灯/点滅や発光色等を制御したりする。
【００３４】
具体的には、ランプ制御部３２０のＲＯＭ３２２には、演出制御部３００にて設定される演出内容に応じた可動役物１１５の動作パターンデータが記憶されている。ＣＰＵ３２１は、可動役物１１５に対しては、読み出した動作パターンデータによりその動作を制御する。
【００３５】
また、ランプ制御部３２０のＲＯＭ３２２には、演出制御部３００にて設定される演出内容に応じた枠ランプ１５７での点灯/点滅パターンデータおよび発光色パターンデータ（発光パターンデータ）が記憶されている。ＣＰＵ３２１は、ＲＯＭ３２２に記憶された発光パターンデータの中から、演出制御部３００から送られたコマンドに対応したものを選択して読み出す。そして、ランプ制御部３２０は、読み出した発光パターンデータにより枠ランプ１５７での発光を制御する。
【００３６】
〔払出制御部の構成・機能〕
払出制御部４００は、払出球の払い出しを制御する際の演算処理を行うＣＰＵ４０１と、ＣＰＵ４０１にて実行されるプログラムや各種データ等が記憶されたＲＯＭ４０２と、ＣＰＵ４０１の作業用メモリ等として用いられるＲＡＭ４０３と、を備えている。
そして、払出制御部４００は、遊技制御部２００から送られたコマンドに基づいて、払出球の払い出しを制御する。
【００３７】
〔可動役物の構成例およびその動作例〕
図３は、本実施形態の可動役物１１５の構成例を示す図である。
図３に示す可動役物１１５は、左右一対の羽根型の可動部材（以下、羽根部材）１１、１２により構成される。この羽根部材１１、１２は、図示しない駆動機構により、羽根の付け根部分を回転軸として扇状に回転動作する。
【００３８】
また、図３において、４個ずつ並ぶＬＥＤ３１、３２は、入賞球の保留数を表示する表示器である。すなわち、本実施形態のパチンコ遊技機１００は、表示器１３０の他に、遊技盤１１０上の遊技者が視認しやすい場所に、入賞球の保留数を遊技者に報知するための表示器が設けられている。図において、右側に配置されるＬＥＤ３１は、第２始動口１２２に入賞した入賞球の保留数を表示する。左側に配置されるＬＥＤ３２は、第１始動口１２１に入賞した入賞球の保留数を表示する。
【００３９】
ＬＥＤ３１は、保留数が増加するのに伴い、左端のＬＥＤ３１ａから右へ、ＬＥＤ３１ｂ、ＬＥＤ３１ｃ、ＬＥＤ３１ｄの順に点灯する。そして、最大で、未抽選分の限度個数である４個までが表示される。一方、ＬＥＤ３２は、保留数が増加するのに伴い、右端のＬＥＤ３２ａから左へ、ＬＥＤ３２ｂ、ＬＥＤ３２ｃ、ＬＥＤ３２ｄの順に点灯する。そして、最大で、未抽選分の限度個数である４個までが表示される。
【００４０】
図４は、羽根部材１１、１２が動作する様子を示す図である。
図４に示すように、羽根部材１１、１２は、それぞれ、付け根部分の回転軸２１、２２を介して駆動機構の駆動力を受け、回転軸２１、２２の周りに回転動作する。具体的には、図において、右側に配置される羽根部材１１は、実線で記載された状態から反時計回りに動作して一点鎖線で記載された状態へ変位した後、時計回りに動作して元の状態に変位する動作を繰り返す。また、左側に配置される羽根部材１２は、図示の状態から時計回りに動作して、一点鎖線で記載された状態へ変位した後、反時計回りに動作して元の状態に変位する動作を繰り返す。この結果、全体としては、左右の羽根部材１１、１２が開閉するような動作が実現される。
【００４１】
図５は、図３のＸ−Ｘ線断面図である。
図５には示していないが、図の右方向に遊技盤１１０が存在し、遊技が行われる際に遊技者が図の左方向から遊技盤１１０の遊技領域１１１を見ることになる。このことを踏まえて羽根部材１１、１２とＬＥＤ３１、３２との位置関係を見ると、遊技者から見て、最も手前に羽根部材１１、その奥（遊技盤１１０側）に羽根部材１２、さらにその奥にＬＥＤ３１、３２が存在している。
【００４２】
図６は、羽根部材１１、１２の変位の例を示す図である。
図６では、図３に示した可動役物１１５において、羽根部材１１、１２が最も閉じた状態（羽根部材１１および羽根部材１２が各々、最も下方へ変位した状態）を示している。図５に示したように、遊技者から見て、ＬＥＤ３１、３２の手前に羽根部材１１および羽根部材１２が位置している。したがって、図６に示すように、各羽根部材１１、１２が最も下方へ変位した状態では、ＬＥＤ３１が羽根部材１１に、ＬＥＤ３２が羽根部材１２に、それぞれ覆われて隠れることとなる。
【００４３】
図７は、羽根部材１１、１２の変位の他の例を示す図である。
図７に示す動作では、羽根部材１１および羽根部材１２は、図６の場合とは異なり、ＬＥＤ３１およびＬＥＤ３２を覆わない程度で変位が止まるように動作を制限している。そのため、図示のように、羽根部材１１はＬＥＤ３１を隠しておらず、羽根部材１２はＬＥＤ３２を隠していない。
【００４４】
ところで、法令の規定により、入賞球の保留数表示を隠すことは許されない。したがって、可動役物１１５において、図６に示したように、羽根部材１１、１２が入賞球の保留数の表示器であるＬＥＤ３１、３２を覆うことで、保留数表示を隠す動作は行うことができない。ただし、隠してはならないのは、保留数表示であって、保留数が表示されていないときの表示器自体は隠れても構わないとされる。そこで、本実施形態では、ＬＥＤ３１、３２が点灯しないときには、図６に示すように、羽根部材１１、１２を制限なく動作させ、ＬＥＤ３１、３２が点灯するときには、図７に示すように、ＬＥＤ３１、３２が隠れないように羽根部材１１、１２の動作を制限して演出を行う。
【００４５】
〔可動役物の制御条件〕
次に、保留数表示の態様に応じて可動役物１１５の動作を変更するための動作制御について説明する。ここでは、可動役物１１５および表示器の例として、図３乃至図７に示した羽根部材１１、１２およびＬＥＤ３１、３２を用いて説明する。
本実施形態では、遊技中においてＬＥＤ３１、３２が点灯して保留数表示が行われている場合と共に、保留数表示が行われる可能性のある場合を予測し、これらの場合には、羽根部材１１、１２の動作を図７に示したように制限する動作制御を行う。この動作制御により、羽根部材１１、１２は、保留数表示が行われる可能性のあるときにのみ動作を制限され、その他の場合（非表示状態）には制限なく動作することが可能となる。
【００４６】
ここで、保留数表示が行われる可能性のあるときとは、第１始動口１２１および第２始動口１２２に遊技球が入賞する可能性のあるときと言い換えることができる。すなわち、遊技球が遊技盤１１０の遊技領域１１１上に存在するときである。遊技球は、遊技者の操作によって発射装置から発射された後、各種の入賞口（第１始動口１２１、第２始動口１２２、大入賞口１２５、普通入賞口１２６等）に入賞するか、排出口１１７から排出されるまで、遊技領域１１１上に存在する。したがって、発射された遊技球の数（発射球数）から入賞した遊技球の数（入賞球数）および排出された遊技球の数（排出球数）を減算することで、遊技領域１１１上に遊技球が存在するか否かを判断することができる。
【００４７】
ただし、本実施形態では、遊技領域１１１上に遊技球が存在するか否かを厳密に判断する必要はない。すなわち、保留球数表示が行われているときにＬＥＤ３１、３２を隠してはならないことを考慮すると、遊技球が遊技領域１１１上に、絶対に存在しないときを検出し、このときにのみ羽根部材１１、１２がＬＥＤ３１、３２を隠すような動作を行うように制御すれば十分である。言い換えれば、遊技球が遊技領域１１１上に存在するか否かが疑わしい場合には、ＬＥＤ３１、３２を隠さないように羽根部材１１、１２の動作を制御すれば良い。したがって、本実施形態では、上記の発射球数、入賞球数、排出球数の関係を単純化し、
（発射球数）−（排出球数）＝０
のときに、羽根部材１１、１２がＬＥＤ３１、３２を隠すような動作制御を行い、その他の場合にはＬＥＤ３１、３２を隠さないように羽根部材１１、１２の動作を制御することとする。
【００４８】
上記の発射球数と排出球数の差分は、演出制御部３００に設けられた遊技球数カウンタ３０５の値によって表される。すなわち、本実施形態では、遊技球数カウンタ３０５の値に応じて、羽根部材１１、１２の動作制御を切り替える。以下、遊技球数カウンタ３０５の操作手順について説明する。
【００４９】
図８は、遊技球数カウンタ３０５の操作の内容を示すフローチャートである。
演出制御部３００は、図８に示す動作を定期的に（例えば数ミリ秒ごとに）繰り返す。図８を参照すると、演出制御部３００は、まず発射球検出スイッチ１６１をチェックし（ステップ８０１）、発射球が検出されたならば（ステップ８０２でＹｅｓ）、遊技球数カウンタ３０５の値を１加算する（ステップ８０３）。
【００５０】
発射球が検出されなかった場合（ステップ８０２でＮｏ）、またはステップ８０３で遊技球数カウンタの値が更新された後、演出制御部３００は、排出球検出スイッチをチェックする（ステップ８０４）。そして、排出球が検出されたならば（ステップ８０５でＹｅｓ）、遊技球数カウンタ３０５の値を１減算し（ステップ８０６）、処理を終了する。一方、排出球が検出されなかった場合は（ステップ８０５でＮｏ）、遊技球数カウンタ３０５の値を更新せずに処理を終了する。
【００５１】
〔可動役物の動作制御〕
次に、上記の遊技球数カウンタ３０５の値に基づく可動役物１１５の動作制御について説明する。
図２を参照して説明したように、パチンコ遊技機１００の動作制御は、まず遊技制御部２００により内部抽選等の遊技状態に関わる主要な制御や設定が行われる。そして、遊技制御部２００から演出制御部３００へ、制御内容に基づくコマンドが送られる。演出制御部３００は、遊技制御部２００から受信したコマンドに基づいて演出パターンを決定し、決定した演出パターンによる演出制御を行う。この演出パターンにおいて可動役物１１５を動作させる場合は、演出制御部３００から、さらに下位のランプ制御部３２０へコマンドが送られる。そして、このコマンドにしたがって、ランプ制御部３２０が可動役物１１５を動作させる。したがって、演出として羽根部材１１、１２（可動役物１１５）を動作させる場合、以上の手順を経て、羽根部材１１、１２の動作契機を発動させる。
【００５２】
図９は、本実施形態による羽根部材１１、１２（可動役物１１５）の動作制御の内容を示すフローチャートである。
図９に示すように、羽根部材１１、１２の動作契機が発動すると（ステップ９０１）、演出制御部３００は、まずＬＥＤ３１、３２が点灯し、保留数を表示しているか否かを判断する。保留数表示が行われているならば（ステップ９０２でＹｅｓ）、その保留数表示を羽根部材１１、１２によって隠してはならない。したがって、演出制御部３００は、制限された動作パターン、すなわち羽根部材１１、１２によってＬＥＤ３１、３２が隠れない動作パターンをＲＡＭ３０３にセットする（ステップ９０５）。そして、セットされた動作パターンを含む指示コマンドをランプ制御部３２０に送信し、ＬＥＤ３１を隠さない動作パターンで羽根部材１１を動作させる（ステップ９０６）。
【００５３】
ＬＥＤ３１による保留数表示が行われていない場合（ステップ９０２でＮｏ）、次に演出制御部３００は、遊技球数カウンタ３０５の値が０か否かを判断する。遊技球数カウンタ３０５の値が０でない場合（ステップ９０３でＮｏ）、遊技領域１１１上に遊技球が存在する可能性がある。すなわち、第１始動口１２１または第２始動口１２２に遊技球が入賞して保留数表示が行われる可能性がある。したがって、演出制御部３００は、制限された動作パターン、すなわち羽根部材１１、１２によってＬＥＤ３１、３２が隠れない動作パターンをＲＡＭ３０３にセットする（ステップ９０５）。そして、セットされた動作パターンを含む指示コマンドをランプ制御部３２０に送信し、ＬＥＤ３１を隠さない動作パターンで羽根部材１１を動作させる（ステップ９０６）。
【００５４】
これに対し、遊技球数カウンタ３０５の値が０の場合（ステップ９０３でＹｅｓ）、遊技領域１１１上に遊技球は存在しない。すなわち、第１始動口１２１または第２始動口１２２に遊技球が入賞して保留数表示が行われる可能性がない。したがって、演出制御部３００は、制限のない動作パターン、すなわち羽根部材１１、１２によってＬＥＤ３１、３２が隠れる動作パターンをＲＡＭ３０３にセットする（ステップ９０４）。そして、セットされた動作パターンを含む指示コマンドをランプ制御部３２０に送信し、ＬＥＤ３１を隠す動作パターンで羽根部材１１を動作させる（ステップ９０６）。
【００５５】
以上の動作例によれば、パチンコ遊技機１００が起動された後、継続的に遊技球数カウンタ３０５を更新するとすれば、一度でもいずれかの入賞口（第１始動口１２１、第２始動口１２２、大入賞口１２５、普通入賞口１２６等）に入賞した後は、必ず発射球数の方が排出球数よりも大きくなり、発射球数と排出球数との差分が０にはならなくなってしまう（ステップ９０３でＹｅｓとならない）。そこで、本実施形態では、第１始動口１２１または第２始動口１２２への入賞が発生したとき、これらの入賞に対する特別図柄抽選の保留が発生したとき等、適当なタイミングで遊技球数カウンタ３０５の値をリセットすることとする。
【００５６】
以上、本実施形態について説明したが、本発明の技術的範囲は上記実施形態に記載の範囲には限定されない。例えば、上記実施形態では、可動役物１１５を羽根部材１１、１２、保留数表示器をＬＥＤ３１、３２とし、羽根部材１１、１２の動作によって羽根部材１１、１２がＬＥＤ３１、３２を覆い隠す場合を例として説明したが、可動役物１１５の形状および動作は、上記の例に限定されず、任意の形状および動作として良い。また、保留数表示器として、ＬＥＤ以外の表示手段を用いても構わない。
【００５７】
また、上記実施形態では、可動役物１１５（羽根部材１１、１２）の動作における変位（変動量）を減らすことによって、保留数表示器（ＬＥＤ３１、３２）が隠れないようにしたが、この他、回転軸を切り替える等の手段によって、保留数表示器が隠れないように、可動役物１１５の動作経路を変更するように制御しても良い。また、可動役物１１５の動作速度を上げ、保留数表示器の上を短時間で通過させることにより、保留数表示器が隠れないように制御しても良い。
【図面の簡単な説明】
【００５８】
【図１】本実施形態に係るパチンコ遊技機の概略正面図である。
【図２】パチンコ遊技機の制御ユニットの内部構成を示すブロック図である。
【図３】本実施形態の可動役物の構成例を示す図である。
【図４】本実施形態の可動役物である羽根部材が動作する様子を示す図である。
【図５】図３のＸ−Ｘ線断面図である。
【図６】羽根部材の変位の例を示す図である。
【図７】羽根部材の変位の他の例を示す図である。
【図８】本実施形態における遊技球数カウンタの操作の内容を示すフローチャートである。
【図９】本実施形態による羽根部材（可動役物）の動作制御の内容を示すフローチャートである。
【符号の説明】
【００５９】
１１、１２…羽根部材、２１、２２…回転軸、３１、３２…ＬＥＤ、１００…パチンコ遊技機、１１０…遊技盤、１１１…遊技領域、１１５…可動役物、１１７…排出口、１２１…第１始動口、１２２…第２始動口、１６１…発射球検出スイッチ、２００…遊技制御部、３００…演出制御部、３０５…遊技球数カウンタ
【図１】
2010264046.tif 000003
【図２】
2010264046.tif 000004
【図３】
2010264046.tif 000005
【図４】
2010264046.tif 000006
【図５】
2010264046.tif 000007
【図６】
2010264046.tif 000008
【図７】
2010264046.tif 000009
【図８】
2010264046.tif 000010
【図９】
2010264046.tif 000011